(57)【要約】【課題】全体として装置の小型化を図ること。【解決手段】支持台を構成するベース部材の略中央部に開口を形成し、該開口の上方に電動シリンダの垂直シリンダ部を、ベース部材の上面に固定した固定部材を介して配設し、支持台の脚部に相当する複数の支持部材に重量物の加重を平均的に分散させる動物の頭割装置。【選択図】図１３
2018014892.tif 000002
【特許請求の範囲】
【請求項１】
支持台が、動物の頭部を載置することができる水平載置台と、この水平載置台に所定間隔を有して対設された複数の支持部材と、これらの支持部材の上端部に水平状態に固定されかつ略中央部に開口を有するベース部材と、前記開口を基準として該開口を塞がないように前記ベース部材の上面に固定された少なくとも一対の固定部材とから成り、前記開口を貫通する出力軸を有する電動シリンダが前記一対の固定部材に挟持状態に保持され、さらに、前記出力軸の突出下端部に一体的に設けた連結部に、上壁の中央部が連結されていると共に刃体の上端部を固定的に支持する刃体保持体を備え、前記刃体の下端部の一部には、動物の頭部を分割する下向き凹所状切断刃部が形成されている動物の頭割装置。
【請求項２】
請求項１に於いて、刃体保持体は、垂直支持板状の刃体の上端部が嵌合する下向き凹所長溝を有する横杆状部材であり、該刃体保持体の左右端部には、ベース部材に設けられた左右一対の縦筒状軸受けをそれぞれ貫通状態にスライドする左右一対の垂直ロッドの下端部がそれぞれ連結されていることを特徴とする動物の頭割装置。
【請求項３】
請求項１に於いて、下向き凹所状切断刃部の縁部の形状に関して、上方切断刃の縦断面形状は、縦の鉞形状（垂直方向の両刃）であり、一方、前記上方切断刃の左右の端部にそれぞれ連続する左右の対向切断刃の横断面形状は、それぞれ対向する横倒れの鉞形状（水平方向の両刃）であることを特徴とする動物の頭割装置。
【請求項４】
請求項１に於いて、一つの固定部材は、ベース部材の上面に固定的に立設された一組の対向板と、これらの対向板の内端部にそれぞれ略直交状態に固定され、かつ電動シリンダを構成するギアボックス部又は垂直シリンダ部のいずれかを支持する垂直支持板とを有することを特徴とする動物の頭割装置。
【請求項５】
請求項１に於いて、支持台に出力軸の上限位置及び下限位置をそれぞれ検知する複数個の検知器を配設し、これらの検知器が検出した検知信号は、電動シリンダの駆動部を制御する制御部に送られることを特徴とする動物の頭割装置。
【請求項６】
請求項１に於いて、動物の頭割装置は、さらに、複数個のスイッチを有する固定式又は携帯式のいずれかの操作盤を備え、作業員の操作により前記スイッチがオン・オフすると、該入力信号は制御部に送信され、該制御部は前記入力信号に基づき電動シリンダの出力軸の昇降動を制御することを特徴とする動物の頭割装置。
【請求項７】
請求項６に於いて、入力信号は有線又は無線のいずれかにより制御部に送信されることを特徴とする動物の頭割装置。
【請求項８】
支持台が、動物の頭部を載置することができる水平載置台と、この水平載置台に所定間隔を有して立設された複数の支持部材と、これらの支持部材の上端部に水平状態に固定されかつ略中央部に開口を有するベース部材と、前記開口を基準として該開口を塞がないように前記ベース部材の上面に固定された固定部材とから成り、
前記開口を貫通する出力軸を有する電動シリンダが前記固定部材に保持され、さらに、前記出力軸の突出下端部に一体的に設けた連結部に、上壁の中央部が連結されていると共に刃体の上端部を固定的に支持する刃体保持体を備え、前記刃体の下端部の一部には、動物の頭部を分割する下向き凹所状切断刃部が形成されている動物の頭割装置。
【請求項９】
請求項８に於いて、ベース部材は、合計４つの支持部材の上端部に固定された環状ベース枠と、この環状ベース枠に一体的に架設され、かつ、その略中央部に開口を有するベース板本体とから成ることを特徴とする動物の頭割装置。
【請求項１０】
請求項８に於いて、固定部材はベース部材の上面に複数個配設され、これらの固定部材は電動シリンダの荷重を支持台の脚部に相当する複数の支持部材に平均的に分散させる動物の頭割装置。
【請求項１１】
請求項８に於いて、水平載置台の上面には、少なくとも点、線、絵柄のいずれかを含む動物の頭部を載置すべき目印を設けたことを特徴とする動物の頭割装置。
【発明の詳細な説明】
【技術分野】
【０００１】
本発明は、牛、豚等の動物の頭割装置に関する。
【背景技術】
【０００２】
特許文献１に記載の動物の頭割装置は、駆動源として、架台内に縦方向に固定され、かつ、少なくとも２個以上の手動切換え弁によって作動する油圧シリンダを採用している。この動物の頭割装置は、前記油圧シリンダの作動杆が上昇すると、該作動杆の上端部に水平状態に固定された載置台が上昇する構造である。また動物の頭部の頭蓋骨を割る鉞型の長板状刃体は、前記架台の上面の一端部に固定的に立設された角柱状の支持部材の一側内面の上端部に「片持ち式」に水平状態に固定された長杆状の刃体保持体に固定的に設けられている。
【０００３】
上記構成の動物の頭割装置は、作業員が２個以上の手動切換え弁を操作することによって駆動源が起動するものであることから、頭割作業上の危険を極力防止できるという利点を有するものの、次のように問題点があった。
【０００４】
すなわち、比較的重量のある刃体保持体及び刃体を、支持部材でいわゆる「片持ち式」に保持することから、架台を構成する支柱をベース板上に多数（例えば合計１４本）立設し、架台を強靭かつ複雑なものにしなければならない、油圧シリンダの内部のピストンで区別された２つの室にそれぞれ連通する一対の油出入り口に、それぞれ作動媒体用の配管を接続すると共に、油圧シリンダ機構を構成する「油圧ユニット」を架台の設置場所以外の作業ベイ（床面等）に設置しなければならないので、装置が全体として大掛りなものとなると共にコスト高となる。その他、鉞型の長板状刃体が固定部材で、一方、動物の頭部を載せる載置台が上方に上昇する可動部材である「載置台可動型」であるものの、好ましく小型の駆動装置を採用することができるように又は動物の頭部が動かないように前記固定部材と可動部材は逆態様のパターンであること、また動物の頭部の頭蓋骨を割る鉞型の長板状刃体は、下端部の一部に下向き凹所形状の切断刃部が形成されているものの、該切断刃部の形状や下向き凹所の深さ（上下方向の寸法）は、動物の頭部の大脳に極力傷を付けないようにさらに工夫が必要なこと、加えて、鉞型の長板状刃体が可動部材である実施形態の場合であっても、作業能率の向上を図るために昇降体の起動及び停止を自動化すること等が研究課題として残されていた。
【０００５】
ところで、特許文献２、特許文献３等は、今から５０年以上の古い「動物の頭割装置」に関するものである。これらの特許文献に共通していえることは、駆動源は、本発明の如く「電動シリンダ」ではなく、油圧シリンダ機構を用いている点である。
【０００６】
さらに付言すると、まず特許文献２の刃体保持体は、載置台の一端部に固定的に立設された支柱に外嵌合する昇降アームの突出先端部に片持ち式に保持されている、前記支柱の上端部に駆動源としての油圧ニユットを設置する等から、前記載置台は前記油圧ニユット、昇降アーム、刃体保持体及び刃体の重量を安定的に支える幅広でかつ分厚い重量物に設計する必要がある。
【０００７】
次に特許文献３は、無端状のベルトコンベア（３１）の上方に複数本の支柱（１９）及びケース状の支持箱（９７）を介して垂直状態の駆動源（７３）が固定的に配設され、該駆動源の作動杆の下端部に長板状の刃体（１４）が保持されかつ前記長板状刃体の下向き凹所（８２）の付近に２つの検知器が水平方向に所定間隔を有して配設されている。しかしながら、前記駆動源（７３）は油圧ニユットである点、可動部材としての無端状のベルトコンベア（３１）の上に動物の頭部を載せなければならない等から、装置が大掛りでかつ複雑化するという欠点がある（符号は特許文献３のもの）。
【０００８】
次に特許文献４は、機体の上端部の一端部側に一対の支板、水平連結軸を介してその基端部が機枠に対して揺動自在に軸支されかつ先端部に刃体保持体を介して下向き凹所を有する刃体を有する長板状の揺動碗を備え、該長板状揺動碗は、前記枠体内に固定した駆動モータの駆動力によりかつ枠体内に配設した大小の歯車を有する減速機構を介して従動回転体が回転すると、該従動回転体の偏芯位置に一端部が軸支された短杆及び該短杆の他端部に枢支された長杆とから成るクランク機構を介して所定角度の範囲内で弧状の軌道を描いて位置変位するものであることから、特許文献２、特許文献３とは具体的構成のみならず、発明の基本的な原理が相違する。
【０００９】
本発明では、駆動源として「電動シリンダ」を採用しているが、これらの基本的原理は、特許文献５、特許文献６、特許文献７等に記載されているように公知技術である。例えば特許文献７に記載の電動シリンダは、駆動部及びシリンダ機構の間における駆動力の伝達状態を切り換え、低回転時における該駆動部及びシリンダ機構への負荷を軽減させることにより、耐久性の向上を図るために（課題）、「電流が通電されることにより回転駆動する駆動部１２と、前記駆動部１２からの駆動力を減速して伝達するギアユニット１４と、前記ギアユニット１４から伝達される駆動力を介してストローク変位するピストン１６を有するシリンダ機構１８と、前記駆動部１２とシリンダ機構１８との間に配設される動力伝達切換機構２０とを備え、前記動力伝達切換機構２０には、その内部に作動油Ａが充填された回転ハウジング２８を有し、前記回転ハウジング２８の内部に、駆動部１２側に接続された第１プレート７８と、シリンダ機構１８側に接続された第２プレート８０とが交互に配設されている（解決手段）」ものである（符号は特許文献７のもの）。
【００１０】
上記の電動シリンダは、全体としてコンパクトである（小型化されている）、出力軸が直ちに停止する、支持台に適宜に配設することができる等の利点がある。
【先行技術文献】
【特許文献】
【００１１】
【特許文献１】実公平３−１９７５４号公報
【特許文献２】米国特許明細書第４，０５２，７６９号公報
【特許文献３】米国特許明細書第３，８９０，６７３号公報
【特許文献４】米国特許明細書第２，５４９，９３７３号公報
【特許文献５】特開平１０−１２７００８号公報
【特許文献６】特開２００４−６４９８３号公報
【特許文献７】特開２００７−８９２７５号公報
【発明の概要】
【発明が解決しようとする課題】
【００１２】
本願発明の主たる目的は、特許文献１、特許文献２等の問題点に鑑み、かつ、特許文献５、特許文献６等の利点を生かすことに着眼し、特に駆動源を含む動物の頭割装置を小型化し、と蓄場の床面を有効的に活用できるようにすることである。また支持台を構成する支持部材（脚部）及び該支持部材の上端部に一体的に設けたベース部材に、電動シリンダ、刃体保持体及び刃体等の重量物の荷重を十分に分散させることができることである。その他、固定部材の軽量化を図る、脳を避けるように頭蓋骨を切断する等の目的は従属項によって特定され得る。
【課題を解決するための手段】
【００１３】
本発明の動物の頭割装置は、支持台が、動物の頭部を載置することができる水平載置台と、この水平載置台に所定間隔を有して対設された複数の支持部材と、これらの支持部材の上端部に水平状態に固定されかつ略中央部に開口を有するベース部材と、前記開口を基準として該開口を塞がないように前記ベース部材の上面に固定された少なくとも一対の固定部材とから成り、前記開口を貫通する出力軸を有する電動シリンダが前記一対の固定部材に挟持状態に保持され、さらに、前記出力軸の突出下端部に一体的に設けた連結部に、上壁の中央部が連結されていると共に刃体の上端部を固定的に支持する刃体保持体を備え、前記刃体の下端部の一部には、動物の頭部を分割する下向き凹所状切断刃部が形成されていることを特徴とする。
【００１４】
また本発明の動物の頭割装置は、支持台が、動物の頭部を載置することができる水平載置台と、この水平載置台に所定間隔を有して立設された複数の支持部材と、これらの支持部材の上端部に水平状態に固定されかつ略中央部に開口を有するベース部材と、前記開口を基準として該開口を塞がないように前記ベース部材の上面に固定された固定部材とから成り、前記開口を貫通する出力軸を有する電動シリンダが前記固定部材に保持され、さらに、前記出力軸の突出下端部に一体的に設けた連結部に、上壁の中央部が連結されていると共に刃体の上端部を固定的に支持する刃体保持体を備え、前記刃体の下端部の一部には、動物の頭部を分割する下向き凹所状切断刃部が形成されていることを特徴とする。
【００１５】
また本発明の動物の頭割装置は、支持台を構成するベース部材の略中央部に開口を形成し、該開口の上方に電動シリンダの垂直シリンダ部を、ベース部材の上面に固定した固定部材を介して配設し、支持台の脚部に相当する複数の支持部材に重量物の加重を平均的に分散させることを特徴とする。
【００１６】
上記構成に於いて、特に、刃体保持体は、垂直支持板状の刃体の上端部が嵌合する下向き凹所長溝を有する横杆状部材であり、該刃体保持体の左右端部には、ベース部材に設けられた左右一対の縦筒状軸受けをそれぞれ貫通状態にスライドする左右一対の垂直ロッドの下端部がそれぞれ連結されていることを特徴とする。また下向き凹所状切断刃部の縁部の形状に関して、上方切断刃の縦断面形状は、縦の鉞形状（垂直方向の両刃）であり、一方、前記上方切断刃の左右の端部にそれぞれ連続する左右の対向切断刃の横断面形状は、それぞれ対向する横倒れの鉞形状（水平方向の両刃）であることを特徴とする。また一つの固定部材は、ベース部材の上面に固定的に立設された一組の対向板と、これらの対向板の内端部にそれぞれ略直交状態に固定され、かつ電動シリンダを構成するギアボックス部又は垂直シリンダ部のいずれかを支持する垂直支持板とを有することを特徴とする。
【００１７】
また、支持台に出力軸の上限位置及び下限位置をそれぞれ検知する複数個の検知器を配設し、これらの検知器が検出した検知信号は、電動シリンダの駆動部を制御する制御部に送られることを特徴とする。また動物の頭割装置は、さらに、複数個のスイッチを有する固定式又は携帯式のいずれかの操作盤を備え、作業員の操作により前記スイッチがオン・オフすると、該入力信号は制御部に送信され、該制御部は前記入力信号に基づき電動シリンダの出力軸の昇降動を制御することを特徴とする。この場合前記入力信号は有線又は無線のいずれかにより制御部に送信されることを特徴とする。
【００１８】
また本発明の動物の頭割装置は、支持台が、動物の頭部を載置することができる水平載置台と、この水平載置台に所定間隔を有して立設された複数の支持部材と、これらの支持部材の上端部に水平状態に固定されかつ略中央部に開口を有するベース部材と、前記開口を基準として該開口を塞がないように前記ベース部材の上面に固定された固定部材とから成り、前記開口を貫通する出力軸を有する電動シリンダが前記固定部材に保持され、さらに、前記出力軸の突出下端部に一体的に設けた連結部に、上壁の中央部が連結されていると共に刃体の上端部を固定的に支持する刃体保持体を備え、前記刃体の下端部の一部には、動物の頭部を分割する下向き凹所状切断刃部が形成されていることを特徴とする。
【００１９】
上記構成に於いて、ベース部材は、合計４つの支持部材の上端部に固定された環状ベース枠と、この環状ベース枠に一体的に架設され、かつ、その略中央部に開口を有するベース板本体とから成ることを特徴とする。この場合前記固定部材はベース部材の上面に複数個配設され、これらの固定部材は電動シリンダの荷重を支持台の脚部に相当する複数の支持部材に平均的に分散させることを特徴とする。また水平載置台の上面には、少なくとも点、線、絵柄のいずれかを含む動物の頭部を載置すべき目印を設けたことを特徴とする。
【発明の効果】
【００２０】
（ａ）請求項１に記載の発明は、支持台を構成するベース部材の略中央部に開口を形成し、該開口の上方に電動シリンダの垂直シリンダ部を、ベース部材の上面に固定した固定部材を介して配設したので、駆動源を含む動物の頭割装置のコンパクト化を図ることができ、これにより「と蓄場」の床面を有効的に活用することができる。また装置を構成する支持部材（脚部）及び支持部材の上端部に一体的に設けたベース部材に、電動シリンダ、刃体保持体及び刃体等の重量物の荷重を十分に分散させることができる。
（ｂ）請求項２に記載の発明は、刃体保持体は、垂直支持板状刃体の上端部が嵌合する下向き凹所長溝を有する横杆状部材であり、該刃体保持体の左右端部には、ベース部材に設けられた縦筒状軸受けを貫通状態にスライドする垂直ロッドの下端部がそれぞれ連結されているので、刃体保持体は、安定した状態でスムースに昇降動する。
（ｃ）請求項３に記載の発明は、下向き凹所状切断刃部の縁部の形状に関して、上方切断刃の縦断面形状は縦の鉞形状（垂直方向の両刃）であり、一方、前記上方切断刃の左右の端部にそれぞれ連続する左右の対向切断刃の横断面形状はそれぞれ対向する横倒れの鉞形状（水平方向の両刃）であることから、切れ味が良いと共に、動物、例えば牛の頭部の頭蓋骨を割っても大脳に極力傷を付けないようにすることができる。
（ｄ）請求項４に記載の発明は、一つの固定部材は、ベース部材の上面に固定的に立設された一組の対向板と、これらの対向板の内端部にそれぞれ略直交状態に固定され、かつ電動シリンダを構成するギアボックス部又は垂直シリンダ部のいずれかを支持する垂直支持板とを有するので、電動シリンダを按分的に保持することができると共に、固定部材の軽量化を図ることができる。
（ｅ）請求項５に記載の発明は、支持台に出力軸の上限位置及び下限位置をそれぞれ検知する複数個の検知器を直接又は間接のいずれかで配設し、これらの検知器が検出した検知信号は、電動シリンダの駆動部を制御する制御部に送られるので、作業能率の向上を図ることができると共に、刃体等を傷つけない。
（ｆ）請求項６に記載の発明は、制御部１２は操作レバー、タッチパネル、押釦等の操作手段５２による入力信号に基づき電動シリンダ３の出力軸６の昇降動を制御するので、作業員は、動物の頭Ｈに対する刃体１３の昇降動の位置を適宜に判断しながら、スイッチをオン・オフさせることができるという利点がある。
（ｇ）請求項７に記載の発明は、入力信号は有線又は無線のいずれかにより制御部に送信されるので、利便性が向上する。
（ｈ）請求項８に記載の発明は、請求項１に記載の発明と同じ効果を得ることができる。
（ｉ）請求項９に記載の発明は、ベース部材は、合計４本の支柱の上端部に固定された環状ベース枠と、この環状ベース枠に一体的に架設され、かつ、その略中央部に開口と両端部に縦筒状軸受け用嵌合孔を有するベース板本体とから成るので、支持台が簡単な構造となり、しかも、全体として装置の小型化や軽量化を図ることができる。
（ｊ）請求項１０に記載の発明は、支持台の脚部に相当する複数の支持部材に重量物の加重を平均的に分散させ、「駆動源を含む動物の頭割装置の小型化」を実現することができる。
（ｋ）請求項１１に記載の発明は、水平載置台の上面には、少なくとも点、線、絵柄のいずれかを含む動物の頭部を載置すべき目印を設けたので、作業員は、前記目印を目安にして動物の頭部を水平載置台の上面に置くことができる。したがって、例えば動物の頭部が牛の場合には、その頭蓋骨に刃体の下向き凹所状切断刃部が、その余の口部等が刃体の下向き非凹所状切断刃部が略当たるようにすることができるので、極力脳を避けるように頭蓋骨を切断することができる。
【図面の簡単な説明】
【００２１】
図１乃至図１３は本発明の第１実施形態を示す各説明図、図１４及び図１５は本発明の支持台の第２実施形態を示す各説明図、図１６及び図１７は本発明の支持台の第３実施形態を示す各説明図、図１１８及び図１９は本発明の第４実施形態を示す各説明図、図２０及び図２１は本発明の第５実施形態を示す各説明図である。
【図１】動物の頭割装置の正面視からの説明図。
【図２】図１を基準とした右側面視からの説明図。
【図３】図１を基準とした平面視からの説明図。
【図４】支持台の斜視図。
【図５】例えば合計４本の支柱をそれぞれ結ぶ対角線が交わる略中心に開口を有するベース部材が存在する平面視からの概略説明図。
【図６】要部（支持台、左右一対の固定部材）の斜視からの説明図。
【図７】要部（左右一対の固定部材、これらの固定部材に支持される電動シリンダ）の斜視からの説明図。
【図８】電動シリンダの基本的構成の一例を示す概略断面説明図。
【図９】要部の斜視からの説明図。
【図１０】要部（刃体保持体、刃体）の説明図。
【図１１】（ａ）は刃体１３の正面図、（ｂ）は刃体１３の右側面図、（ｃ）は（ａ）のｃ−ｃ線拡大断面図、（ｄ）は（ａ）のｄ−ｄ線拡大断面図。
【図１２】垂直ロッド、複数個の検知器、制御部等の概略説明図。
【図１３】刃体が下限位置まで下降した説明図。
【図１４】第２実施形態の支持台の斜視図。
【図１５】図１４の１５−１５線断面図。
【図１６】第３実施形態の支持台の斜視図。
【図１７】支持台の右側面図。
【図１８】本発明の第４実施形態で、特に、複数個のスイッチを有する固定式の操作盤の一例を示す図２と同様の説明図。
【図１９】図１８に於いて、（ａ）はスイッチがオフの状態、（ｂ）は第１スイッチがオンの状態、（ｃ）は第２スイッチがオンの状態を示す各概略説明図。
【図２０】本発明の第５実施形態で、特に、水平載置台の他の実施形態を示す概略説明図。
【図２１】刃体の下向き凹所状切断刃部と動物の頭部の頭蓋骨との位置関係を示す概略説明図。
【発明を実施するための最良の形態】
【００２２】
本発明は、特許文献１に記載の実施形態に対して、（ａ） 駆動源は電流が通電されることにより駆動するいわゆる「電動シリンダ」である点、（ｂ）いわゆる「片持ち式」でなく、電動シリンダ、刃体保持体、刃体等の重量物を単数又は複数の固定部材で按分的に保持する点、（ｃ）刃体を上方から下方へ下降させて動物の頭を割る点、（ｄ）刃体の下端部に形成した下向き凹所状切断刃部の形状に関して、極力、動物の大脳を傷つけないように下向き凹所縁部の刃の形状を工夫した点、（ｅ）動物の頭部を載せる載置台を支持台の下部に位置付けた点、（ｆ）刃体等を損傷しないように刃体保持体等の昇降体の起動及び停止を自動化した点、（ｇ）刃体保持体を水平状態に保持する左右一対の垂直ロッドをスムースに案内するようにベース部材に縦筒状軸受けを設けた点等の改良点が色々ある。
【００２３】
しかしながら、これらの改良点（ａ）〜 （ｇ）の全ての事項が本発明を限定するための課題ではない。本発明の主たる課題は、特に、前記（ａ）と（ｂ）を組み合わせた点であり、特に、支持台を構成するベース部材の略中央部に開口を形成し、該開口の上方に電動シリンダの垂直シリンダ部を、ベース部材の上面に固定した固定部材を介して配設したので、支持台の脚部に相当する複数の支持部材に重量物の加重を平均的に分散させることができる。付言すると、例えば支持台の上面に配設された左右一対の固定部材に支持された電動シリンダ、該電動シリンダの出力軸に連結された刃体保持体及び刃体の略全重量を、例えば２本或いは４本の支柱にそれぞれ分散し、これにより各支柱にかかる荷重を、略２分の一或いは略４分の一になるようにすることができる。
【００２４】
したがって、発明の主たる課題に本発明の特定事項は限定され、次いで、特許文献や公知技術如何によっては、前記（ｃ）乃至（ｇ）の構成を限定することができる。
以下、図１乃至図１３を参照にして本発明の第１実施形態を説明する。本発明の第１実施形態の動物の頭割装置Ｘは、「支持台１が、動物の頭部を載置することができる水平載置台１ｃと、この水平載置台の四隅にそれぞれ所定間隔を有して立設された支持部材としての合計４本の支柱１ａ、１ｂと、これらの支柱の上端部に水平状態に固定されかつ略中央部に開口２３を有するベース部材１ｄと、前記開口２３を基準として該開口を塞がないように前記ベース部材の上面に固定された一対の固定部材２とから成り、前記開口を貫通する出力軸６を有する電動シリンダ３が前記一対の固定部材２に按分的に保持され、さらに、前記出力軸６の突出下端部６ａに一体的に設けた連結部５に、上壁の中央部が連結されていると共に垂直支持板状の刃体１３の上端部を固定的に支持する横杆状の刃体保持体７を備え、前記垂直支持板状の刃体１３の下端部の一部には、動物の頭部を分割する下向き凹所状切断刃部１４が形成されている（実施形態）」ものである。
【００２５】
換言すると、第１実施形態の動物の頭割装置Ｘは、動物の頭部を載置することができる水平載置台１ｃの四隅にそれぞれ所定間隔を有して立設された合計４本の支柱１ａ、１ｂと、これらの支柱の上端部に水平状態に固定され、かつ該支柱をそれぞれ結ぶ対角線が交わる略中心に開口２３を有するベース部材１ｄと、前記開口２３を基準として該開口を塞がないように前記ベース部材の上面に固定された少なくとも左右一対の固定部材２と、これらの固定部材にその垂直シリンダ部４又はギアボックス部１８のいずれかの左右の両側壁が挟持状態かつ固定的に支持された電動シリンダ３と、前記電動シリンダの駆動力により上下動する出力軸６の突出下端部６ａに固定的に設けられた連結部５と、この連結部に中心接続部８が接続すると共に、垂直支持板状の刃体１３を固定的に支持する横杆状の刃体保持体７とから成り、前記垂直支持板状の刃体１３の下端部の一部には、動物の頭部を分割する下向き凹所状切断刃部１４が形成されている。
【００２６】
そして、望ましくは、前記下向き凹所状切断刃部１４の縁部の形状に関して、上方切断刃の縦断面形状は縦の鉞形状（垂直方向の両刃）であり、一方、前記上方切断刃の左右の端部にそれぞれ連続する左右の対向切断刃の横断面形状はそれぞれ対向する横倒れの鉞形状（水平方向の両刃）である。
【００２７】
そこで、まず正面図である図１を参照にして構成部材を説明する。Ｘは牛や豚などの頭の脳みそ（大脳）に傷がつかないように割ることができる動物の頭割装置で、主に「と畜場」の床面Ｆに直接又は所要高さの土台４０（図１３参照）等を介して設置される。
【００２８】
図１を基準にすると、１はフレーム構造の支持台（図４を参照）、２、２は支持台１の上端部に水平状態に設けたベース部材１ｄの上面に所定の間隔を有して対峙する左右一対の固定部材（図６を参照）、３は外周面が略四角柱形状の垂直シリンダ部４の左右の両側壁が前記左右の固定部材２、２を介して挟持された電動シリンダ（図７参照）、５は前記垂直シリンダ部４に垂直状態に内装された出力軸６の突出下端部６ａに固定的に設けられた連結部（図８を参照）、７は水平状態に位置する長杆状の略中央部に上方に筒状或いは板状に突出する接続部分８を有する刃体保持体（図９を参照）、９、９は前記刃体保持体７の左右両端部の上面にそれぞれ突設された左右一対の取付け部、１０、１０は前記取付け部にその下端部が一体的に連結あるいは固定された左右一対の垂直ロッド、１１、１１は上下方向に位置変位（昇降動）する垂直ロッド１０の上限位置と下限位置をそれぞれ検出する複数の検知器、１２は前記検知器からの検知信号を選択的に取得して電動シリンダ３の駆動部を制御する制御部、そして、１３は前記刃体保持体７にその上端部が固定的に設けられ、一方、その下端部の一部に下向き凹所状切断刃部１４を有する全体として垂直板状の鉞型の刃体である。なお、前記制御部１２は電動シリンダ３の駆動部の起動、停止、回転方向等を制御する。
【００２９】
図２は右側面図である。この図２に於いて、左側を「前」、右側を「後」という。したがって、図２を基準にすると、１ａは支持台１を構成する前の支柱、１ｂは前記支柱と対向する後の支柱、１ｃは動物の頭部を載置することができる円形或いは矩形状の水平載置台、１ｄは前記水平載置台に対向するように前記支柱１ａ、１ｂの上端部に水平状態に設けられたベース部材である。ベース部材１ｄの構成は後述する。
【００３０】
前記支柱１ａ、１ｂ、水平載置台１ｃ、ベース部材１ｄ及びベース部材の上面に対設された一対の固定部材２で構成されている支持台１は、例えば図４で示すように載置台１ｃの四隅（前後、左右に）に所定間隔を有して合計４本の円柱状或いは角柱状の支柱１ａ、１ｂを有している。前記支柱１ａ、１ｂは、支持部材の一例であることから、適宜に設計変更し得る事項であり、例えば一対の支持板、下向きコ字形状の支持脚等に形成することができる。したがって、必ずしも合計４本である必要はなく、発明の課題を逸脱しない範囲で、「形状を変更」し、また「本数を増減」しても良い。
【００３１】
さらに、図２に於いて、２はベース部材１ｄの右側中央部にその下端部が溶着、固着等の固定手段を介して固定的に設けられた右の固定部材、１５は前記固定部材２を構成する一組の対向板２ａ、２ａの空間部１６内に位置し、かつ、ベース部材１ｄの嵌合孔に固定的に嵌合する右の縦筒状軸受け、１０は前記空間部１６内に位置し、かつ、前記縦筒状軸受け１５を貫通する右の垂直ロッド、３は前記固定部材２にその垂直シリンダ部４が固定的に支持されていると共に、該垂直シリンダ部４の上端部に横箱状のギアボックス部（ギアユニット部）１８及び該ボックス部１８の下壁部に垂直状態に固定された駆動部（電動モータ）１９を有する電動シリンダである。なお、図２に於いて、垂直ロッド１０（刃体保持体７及び刃体１３）は初期位置にある。
【００３２】
次に図３は図１を基準とした動物の頭割装置Ｘの平面視からの説明図、図４は支持台１の斜視図である。これらの図から明らかなように、実施形態のベース部材１ｄは、合計４本の支柱１ａ、１ｂの上端部に固定された環状ベース枠２１と、この環状ベース枠２１の左右の水平杆２１ａ、２１ａの内壁面の略中央部に溶着等の固定手段によって該環状ベース枠２１に一体的に架設された軽ミゾ形状のベース板本体２２とから成り、前記ベース板本体２２の略中央部には円形状の開口（中心孔）２３と、この開口（中心孔）の左右である両端部に形成された縦筒状軸受け用嵌合孔２４、２４とを有する。ベース板本体２２は、前記左右の水平杆２１ａ、２１ａに載せて固定しても良いが、図１や図３で示すように左右一対の固定部材２、２を該ベース板本体２２の上面及び左右の水平杆２１ａ、２１ａの上面に安定的に配設し、かつ、重量物の荷重を全体的に分散するために、実施形態では、左右の水平杆２１ａ、２１ａの上面とベース板本体２２のそれとは面一である。なお、ベース板本体２２は任意に設計変更し得る事項であり、例えば矩形板状に形成し、前後・左右の適宜部位を固着、溶着等により矩形状の環状ベース枠２１の内周面に固定しても良い。
【００３３】
次に図５は、例えば合計４本の支柱１ａ、１ｂをそれぞれ結ぶ対角線Ｌ１、Ｌ２が交わる中心Ｏに開口（中心孔）２３を有するベース部材１ｄのベース板本体２２が存在する旨の平面視からの概略説明図である。前記開口（中心孔）２３には電動シリンダ３の突出下端部６ａが遊嵌合状態に貫通する。
【００３４】
次に図６は、支持台１と、この支持台１の上面、実施形態ではベース部材１ｄを構成するベース板本体２２の上面に開口（中心孔）２３を塞がないように固定的に対峙する左右一対の固定部材２，２等の斜視からの説明図である。この図６を参照に固定部材２を説明すると、固定部材２は、互いに対向する略直角三角形状の対向板２ａ、２ａと、これらの対向板２ａ、２ａの垂直内端部に該対向板に直交して固定された垂直支持板２ｂとから成る。
【００３５】
次に図７は、左右一対の固定部材２，２と、これらの固定部材に支持される電動シリンダ３の斜視からの説明図である。前述したように、一つの固定部材２は、ベース部材の上面に固定的に立設された一組の対向板２ａ、２ａと、これらの対向板の内端部にそれぞれ略直交状態に固定され、かつ、電動シリンダ３を構成するギアボックス部１８又は垂直シリンダ部４のいずれかを支持する垂直支持板２ｂを有する。
【００３６】
実施形態では、前記ギアボックス部１８の下面の一端部側に垂直シリンダ部４の角型大径部４ａの上端部が固定され、該大径部４ａの左右の両側面がそれぞれ被支持面となっている。したがって、例えば前記大径部４ａの左右の両側面にメネジ２６がそれぞれ形成され、一方、前記固定部材２の垂直支持板２ｂの上端部に前記メネジ２６と符合する貫通小孔２７が形成されており、固着手段２８を介して前記垂直支持板２ｂが面接触状態で前記大径部４ａの被支持面に固定されている。それ故に、電動シリンダ３は、左右一対の固定部材２，２に挟持状態（按分的）に吊り下げ状態に支持されている。もちろん、垂直シリンダ部４の円筒状の小径部４ｂの周面を被支持面とし、該円筒状の小径部４ｂの周面に、その曲率が合う曲面を有する垂直支持板２ｂを固着、溶着等の固定手段により按分的に固定しても良い。
【００３７】
次に図８は電動シリンダ３の基本的構成の一例を示す概略断面説明図、図９は電動シリンダ３を含む主たる部材の斜視図である。電動シリンダ３の基本的構成は、例えば特許文献５に記載されているように周知事項なので、ここでは簡単に説明する。図８に於いて、３１は垂直方向の駆動軸で、この駆動軸の突出端部には小歯車３２が固定されている。３３は前記小歯車３２と噛合する大歯車で、この大歯車３３と前記小歯車３２とで減速機構を構成している。３４は外周にオネジを有する螺杆で、この螺杆の基端部３４ａは前記大歯車３３の中心部に固定されている。３５は前記螺杆３４に螺合するメネジを有し、非回転かつ垂直方向に位置変位するピストンで、このピストン３５の小径下端部には、内筒に相当する長杆状の出力軸６の上端部が固定されている。６ａは前記出力軸６の突出下端部で、この突出下端部６ａには、例えば下向きコ字形状の連結部５が一体的に設けられている。そして、前述したように、横杆状の刃体保持体７の突片状の中心接続部８が前記連結部５に固定手段２９を介して固定的に接続する。
【００３８】
なお、前記刃体保持体７用の固定手段２９は、前記連結部５の不番の貫通小孔及び中心接続部８の不番の貫通小孔を水平方向に貫通する固定ボルト２９ａと、この固定ボルト２９ａに螺着するナット２９ｂとから成る（図９参照）。
【００３９】
ここで、図９及び図１０を参照にして刃体保持体７の構成を説明する。実施形態では、刃体保持体７は、垂直支持板状刃体１３の上端部が嵌合する下向き凹所長溝３０を有する横杆状部材であり、該刃体保持体７の左右端部の上面には、ベース部材のベース板本体２２に設けられた縦筒状軸受け１５を貫通状態にスライドする左右一対の垂直ロッド１０，１０の下端部がそれぞれ連結する取付け部９，９が一体的に設けられている。
【００４０】
また、刃体保持体７の上面の中央部には前述した突片状の中心接続部８が一体的に設けられている。なお、図１０で示すように、鉞型の垂直板状刃体１３の上端部は刃体保持体７の下向き凹所長溝３０に圧接状態に嵌め込まれ、複数の固着手段３９を介して該刃体保持体７に固定される。また複数の固着手段３９は一例であり、前記下向き凹所長溝３０に垂直支持板状刃体１３の上端部を緊嵌合状態に挟持させることができれば、複数の固着手段３９及び該固着手段３９用の貫通小孔等は不要である。それ故に、垂直板状刃体１３を取り外す必要がない場合には溶着であっても良い。
【００４１】
次に図１１の（ａ）は刃体１３の正面図、（ｂ）は刃体１３の右側面図、（ｃ）は（ａ）のｃ−ｃ線拡大断面図、（ｄ）は（ａ）のｄ−ｄ線拡大断面図である。実施形態では、刃体１３の下向き凹所状切断刃部１４の縁部に特徴がある。そこで、図１１を参照にすると、下向き凹所状切断刃部１４の縁部の形状に関して、上方切断刃１４ａの縦断面形状は、図１１の（ｃ）で示すように、縦の鉞形状（垂直方向の両刃）であり、一方、前記上方切断刃の左右の端部にそれぞれ連続する左右の対向切断刃１４ｂ、１４ｂの横断面形状は、図１１の（ｄ）で示すように、それぞれ対向する横倒れの鉞形状（水平方向の両刃）である。これにより、切れ味が良いと共に、動物、例えば牛の頭部Ｈの頭蓋骨を割っても大脳に極力傷を付けないようにすることができる（図１３参照）。なお、図１３参照に於いて、作業員４１の位置、牛の頭部Ｈ（口）の向き等は、本発明の本質的事項ではなく、作業員や牛の頭部Ｈ（口）の向きは、現場で適宜に行われることである。また土台４０の高さや形状・構造等も、本発明の本質的事項ではなく、作業員４１の身長等に配慮して任意に選択され得るものである。
【００４２】
次に図１２は、垂直ロッド１０、複数個の検知器１１、制御部１２等の概略説明図である。実施形態では、支持台１を構成する部材の適宜場所、例えば１つの固定部材２の対向板２ａ、２ａの内部空間１６に上下方向に第１検知器１１と第２検知器１１をそれぞれ配設し、一方、垂直ロッド１０の一方の中央部（中央部寄りの部位も含む）と上端部にそれぞれ係合溝１０ａ、１０ｂを形成し、これらの係合溝１０ａ、１０ｂに選択的に前記第１検知器１１と第２検知器１１の可動接片１１ａ、１１ｂが係脱しても良い。ここでは、例えば図１２の左側が出力軸の上限位置と仮定すると、前記第１検知器１１の第１可動接片１１ａが前記第１係合溝１０ａに係合し、この状態を検出した下方の第１検知器１１は出力軸が上限位置に達したことを検出し、該検出信号は制御部１２に送られる。
【００４３】
一方、図１２の右側が出力軸の下限位置と仮定すると、前記第２検知器１１の第２可動接片１１ｂが前記第２係合溝１０ｂに係合し、この状態を検出した上方の第２検知器１１は出力軸が下限位置に達したことを検出し、該検出信号は制御部１２に送られる。
実施形態では、このようにして、支持台１に出力軸６の上限位置及び下限位置をそれぞれ検知する複数個の検知器１１を直接又は間接のいずれかで配設し、これらの検知器１１が検出した検知信号は、電動シリンダ３の駆動部１９を制御する制御部１２に送られる。したがって、作業能率の向上を図ることができると共に、刃体１３等を傷つけない。
【００４４】
図１３は刃体１３が下限位置まで下降した説明図である。図１３は、例えばと蓄場の床面Ｆに所要高さの土台４０を置いて、その上に本実施形態の一例である動物の頭割装置Ｘを設置し、この動物の頭割装置Ｘがどれくらいの大きさであるかを、標準的な身長を有する作業員４１を基準にして示したものである。したがって、作業員４１は必ずしも図面に示した位置で作業をする必要はない。作業員４１は、例えば支持台１の右側壁付近等の動物の頭Ｈの割る箇所が良く見える位置にいるのが望ましい。
【００４５】
この図１３から明らかなように、本発明は、上述した（ａ）と（ｂ）を組み合わせた点に特徴があることから、本発明の主たる課題を達成することができる。
上記構成に於いて、作業員４１が後述する実施例のスイッチを操作すると、電動シリンダ３の駆動部１９が起動し、該駆動部１９の駆動力は減速機構で減速され、さらに、螺合手段を介して出力軸６が下降する。そして、出力軸６が下限位置に達すると、第２検知器１１が検知し、該検知信号は直ちに制御部１２に送られ、該制御部１２は前記駆動部１９の駆動を停止するように制御する。これにより、動物の頭部Ｈの頭蓋骨が二分割され、大脳を取り出すことができる。
【実施例】
【００４６】
実施形態の電動シリンタ３は、例えば株式会社椿本チエインが製造販売している「パワーシリンダＴシリーズ」を採用している。したがって、「電動シリンダ３」の用語は、例えば「パワーシリンダ」と同じ概念である。なお、電動シリンダ３のパワーは、適宜に採用され得るものである。
【００４７】
ここでは図１４乃至図２１を参照にして本発明の支持台の第２実施形態乃至第４実施形態を簡単に説明する。なお、第２実施形態などの説明に当って、第１実施形態と同一の部分には同一の符号を付して重複する説明を割愛する。
【００４８】
図１４及び図１５は本発明の支持台１Ａの第２実施形態を示す各説明図、図１６及び図１７は本発明の支持台１Ｂの第３実施形態を示す各説明図である。
【００４９】
まず、第２実施形態が第１実施形態と主に異なる点は、支持台１Ａを構成する支持部材（脚部）１ａ（１ｂ）の形状や本数と、ベース部材１ｄの長さや構成である。図１４から明らかなように、前記支持部材（脚部）は柱状ではなく、板状、例えば台形状に形成した点が異なる。また支持部材（脚部）は合計４つではなく、合計２つである。一方、前記ベース部材１ｄは環状ベース部がなく、ベース板本体２２のみから構成され、第１実施形態のそれよりも長いものとなっている。このように動物の頭割装置の軽量化を図るために、支持台１Ａをシンプルな構成にしても良い。
【００５０】
次に、第３実施形態が第１実施形態と主に異なる点は、支持台１Ｂを構成する支持部材（脚部）１ｂの形状や本数と、ベース部材１ｄの長さや構成である。この第３実施形態も上記第２実施形態と同様に支持台１Ｂをシンプルな構成に設計変更したものである。
【００５１】
図１６を見ると明らかなように、支持部材（脚部）１ｂは柱状であるものの、「Ｙ字形状」であり、かつ、合計２つである。またベース部材１ｄは環状ベース部がなく、ベース板本体２２のみから構成され、第１実施形態のそれよりも長いものとなっている。この、第３実施形態に於いて、前記支持部材（脚部）１ｂの形状を「Ｔ字形状」にしても良い。
以上の如く、支持部材（脚部）１ｂの形状や本数は、本発明の本質的事項ではなく、本発明の射程範囲を回避するために任意に設計変更し得る。
【００５２】
それ故に、本発明の特徴点は、「支持台を構成するベース部材の略中央部に開口を形成し、該開口の上方に電動シリンダの垂直シリンダ部を、ベース部材の上面に固定した固定部材を介して配設したので、支持台の脚部に相当する複数の支持部材に重量物の加重を平均的に分散させること」であり、該構成をそのまま含む限り、本発明の技術的範囲に含まれるものである。
【００５３】
次に図１８及び図１９は本発明の第４実施形態で、図１８は特に複数個のスイッチを有する固定式の操作盤の一例を示す図２と同様の説明図、図１９は図１８に於いて、スイッチの状態を示す概略説明図である。
【００５４】
図１８及び図１９は、本発明の動物の頭割装置Ｘは、請求項１に記載の発明を前提として、さらに、複数個のスイッチＳ１、Ｓ２を有する固定式（実施形態）又は携帯式のいずれかの操作盤５１を備え、図示しない作業員の操作により前記スイッチＳ１、Ｓ２がそれぞれオン・オフすると、該入力信号は有線（実施形態）又は無線のいずれかにより制御部１２に送信され、該制御部１２は前記入力信号に基づき電動シリンダ３の出力軸６の昇降動を制御することを示すものである。
【００５５】
作業員の操作対象は、タッチパネル、或いは押釦、或いは操作レバーのいずれであっても良いが、ここでは、明細書の記載要件を考慮して、図１９に具体的な一例を示す。図１９に於いて、５１は支持台の適宜箇所に設けられた一つの操作盤、５２は操作レバー、５２ａは操作レバーの軸筒部の外周に半径外方向に突出ように設けた小突起、５２ｂは前記小突起とは反対側の握り状の操作端部、５３は前記操作レバー５２を回転自在に軸支する支軸、５４は操作レバー５２を下方に戻す第１バネ、５５は操作レバー５２を上方に戻す第２バネ、Ｓ１は第１スイッチ、Ｓ２は第２スイッチである。
【００５６】
図１９の（ａ）は、作業員が操作レバー５２の握り状の操作端部５２ｂから掌を「パット」と離し、操作盤５１の内部の上方に配設された第１バネ５４と、該第１バネと対向するように前記内部の下方に配設された第２バネ５５のバネ力が略均等に操作レバー５２に作用している状態、いわゆる「中立状態」で、この中立状態のときは、操作レバー５２の小突起５２ａは第１スイッチＳ１の可動接片ａ及び第２スイッチＳ２の可動接片ｂから離れている。したがって、この中立状態の時は、「停止信号」が制御部１２に流れ、電動シリンダ３は停止状態となる。
【００５７】
図１９の（ｂ）は、作業員の操作により操作レバー５２が上方に位置変位したときで、第１バネ５４はそのバネ力に抗して収縮すると共に、操作レバー５２の小突起５２ａは第１スイッチＳ１の可動接片ａを押圧する。そうすると、電動シリンダ３は起動する。この起動は、例えば出力軸６を上昇させる（刃体１３が上方に移動）。
【００５８】
これに対して、図１９の（ｃ）は、前記図１９の（ｂ）とは逆であり、作業員の操作により操作レバー５２が下に位置変位したときで、第２バネ５５は収縮すると共に、操作レバー５２の小突起５２ａは上方の第２スイッチＳ１の可動接片ｂを押圧する。そうすると、電動シリンダ３は起動する。この起動は、例えば出力軸６を下昇させる（刃体１３が下方に移動）。
【００５９】
この実施形態の場合には、制御部１２は操作レバー、タッチパネル、押釦等の操作手段５２による入力信号に基づき電動シリンダ３の出力軸６の昇降動を制御するので、作業員は、動物の頭Ｈに対する刃体１３の昇降動の位置を適宜に判断しながら、スイッチをオン・オフさせることができるという利点がある。
【００６０】
なお、上記に於いて、操作手段の一例が操作レバー５２の場合には、該操作レバー５２の中立を保持するバネ力は、複数個のバネである必要はなく、例えば単数のバネ部材を用いても良い。
【００６１】
最後に図２０及び図２１は、本発明の第５実施形態で、特に、支持台１Ｃを構成する水平載置台１ｃの他の実施形態である。この第５実施形態は、極力動物の頭部の脳に傷つけないように、つまり「脳を避けるように頭蓋骨を切断すること」を発明の課題とするものである。
【００６２】
そこで、図２０は水平載置台１ｃの上面に、少なくとも点、線、絵柄のいずれかを含む動物の頭部を載置すべき目印Ｍを設けることが出来る旨を示す。
【００６３】
実施形態では、頭蓋骨の中心に相当する中心点ｍ１と、該中心点ｍ１を包含する＋の線ｍ２と、さらに好ましくは動物の頭部の絵柄ｍ３がそれぞれ描かれている。
図２１は、いわば使用時のイメージを示す概略説明図で、動物の頭部Ｈの頭蓋骨ｈ１は作業員４１の手前側に位置し、一方、その口部ｈ２は作業員４１の向う側に位置、そして、刃体１３の下向き凹所状切断刃部１４は前記頭蓋骨ｈ１の丁度真上に位置している。
【００６４】
上記構成にあっては、例えば動物の頭部Ｈが牛の場合には、その頭蓋骨ｈ１に刃体１３の下向き凹所状切断刃部１４が、その余の口部ｈ２等が刃体１３の下向き非凹所状切断刃部（直線状下端切断刃部）が略当たるようにすることができるので、脳を避けるように頭蓋骨ｈ１を切断することができる。なお、作業員４１の位置は本発明の本質的事項ではない。
【産業上の利用可能性】
【００６５】
本発明は、牛、豚等の動物の頭割装置として、例えば「と蓄場」に設置される。
【符号の説明】
【００６６】
Ｘ…動物の頭割装置、Ｆ…床面、
１、１Ａ、１Ｂ、１Ｃ…支持台、
１ａ、１ｂ…支持部材（脚部）、
１ｄ…ベース部材、
１ｃ…水平載置台、
１ｄ…ベース部材、
２…固定部材、
３…電動シリンダ、
４…垂直シリンダ部、
５…連結部、
６…出力軸、６ａ…突出下端部、
７…刃体保持体、
８…接続部分、
９…取付け部、
１０…垂直ロッド、
１１…検知器、
１２…制御部、
１３…刃体、
１４…下向き凹所状切断刃部、
１５…縦筒状軸受け、
１６…空間部、
１８…ギアボックス部、
１９…駆動部、
２２…ベース板本体、
２３…開口、
２４…嵌合孔、
４０…土台、４１…作業員。
５１…操作盤、
５２…操作レバー、
５３…支軸、
５４…第１バネ、
５５…第２バネ、
Ｓ１…第１スイッチ、
Ｓ２…第２スイッチ、
ａ、ｂ…可動接片、
Ｍ…目印。
【図１】
2018014892.tif 000003
【図２】
2018014892.tif 000004
【図３】
2018014892.tif 000005
【図４】
2018014892.tif 000006
【図５】
2018014892.tif 000007
【図６】
2018014892.tif 000008
【図７】
2018014892.tif 000009
【図８】
2018014892.tif 000010
【図９】
2018014892.tif 000011
【図１０】
2018014892.tif 000012
【図１１】
2018014892.tif 000013
【図１２】
2018014892.tif 000014
【図１３】
2018014892.tif 000015
【図１４】
2018014892.tif 000016
【図１５】
2018014892.tif 000017
【図１６】
2018014892.tif 000018
【図１７】
2018014892.tif 000019
【図１８】
2018014892.tif 000020
【図１９】
2018014892.tif 000021
【図２０】
2018014892.tif 000022
【図２１】
2018014892.tif 000023